【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
基地局コントローラと複数の顧客構内機器との間のポイント・ツー・マルチポイント無線通信リンクにおける自動的な再送信のための複数のパラメータの選択を制御する方法であって、上記通信リンクはアップストリーム部分とダウンストリーム部分とを有し、上記方法は、
上記無線通信リンクを用いた自動的な再送信のための複数のパラメータを選択するステップを含み、上記複数のパラメータは、上記ダウンストリーム部分と上記アップストリーム部分とに対して独立に選択され、かつ少なくとも２つの異なる顧客構内機器のそれぞれに対して独立に選択され、
制御情報をダウンストリームに送信するためのフレームの制御セクションに、上記複数のパラメータを含むステップを含む方法。
【請求項２】
上記アップストリーム部分はデータを上記顧客構内機器から上記基地局コントローラへ伝送するためのものであり、上記ダウンストリーム部分はデータを上記基地局コントローラから上記顧客構内機器へ伝送するためのものである請求項１記載の方法。
【請求項３】
上記自動的な再送信のための複数のパラメータは、上記基地局と上記顧客構内機器との間の先行する通信に基づいて動的に選択される請求項２記載の方法。
【請求項４】
上記基地局コントローラから上記顧客構内機器へ上記フレームの制御セクションをダウンストリームに送信するステップをさらに含み、これにより上記基地局コントローラはアップストリーム及びダウンストリームの両方の再送信のための複数のパラメータを制御する請求項２記載の方法。
【請求項５】
自動的な再送信のための新たに選択される複数のパラメータを動的かつ適応的に決定することをさらに含み、上記基地局コントローラは、上記新たに選択される複数のパラメータを、各独立したＣＰＥとの無線通信リンクの状態に応じて決定する請求項２記載の方法。
【請求項６】
上記自動的な再送信のための複数のパラメータは、送信機から受信機へ首尾よく送信されたバイト数に応じて選択される請求項５記載の方法。
【請求項７】
上記顧客構内機器による使用のために、上記アップストリーム部分及び上記ダウンストリーム部分の複数のフレーム内に複数の肯定応答時間スロットを動的かつ適応的に割り当てるステップをさらに含む請求項１記載の方法。
【請求項８】
アップストリーム部分とダウンストリーム部分とを有するポイント・ツー・マルチポイント無線通信リンクにおけるアップストリーム再送信を制御する方法であって、
自動的な再送信に関連付けられた複数のメッセージを送信するために上記アップストリーム部分に割り当てられる帯域幅の量を決定するステップを含み、上記帯域幅の量は上記ダウンストリーム部分の送信機によって決定されかつ上記ダウンストリーム部分に含まれ、
上記顧客構内機器による使用のために、上記アップストリーム部分及び上記ダウンストリーム部分の複数のフレーム内に複数の肯定応答時間スロットを動的かつ適応的に割り当てるステップを含む方法。
【請求項９】
上記アップストリーム部分はデータを顧客構内機器から基地局コントローラへ伝送するためのものであり、かつ上記ダウンストリーム部分はデータを上記基地局コントローラから上記顧客構内機器へ伝送するためのものであって、これにより、上記基地局コントローラは、自動的な再送信に関連付けられた複数のメッセージを送信するために上記アップストリーム部分に割り当てられる上記帯域幅の量を決定する上記ダウンストリーム部分の送信機である請求項８記載の方法。
【請求項１０】
上記複数のメッセージは肯定応答メッセージ及び否定応答メッセージである請求項９記載の方法。
【請求項１１】
上記アップストリーム部分のいくらかの部分を共有されたリソースとして割り当て、かつ上記アップストリーム部分のいくらかの部分を共有されないものとして割り当てるステップをさらに含み、上記割り当ては上記基地局コントローラによって実行される請求項９記載の方法。
【請求項１２】
基地局コントローラと複数の顧客構内機器との間のポイント・ツー・マルチポイント無線通信リンクにおける肯定応答メッセージ及び否定応答メッセージに動的かつ適応的に応答する方法であって、上記通信リンクは、データを上記顧客構内機器から上記基地局コントローラへ伝送するアップストリーム部分と、データを上記基地局コントローラから上記顧客構内機器へ伝送するダウンストリーム部分とを有し、
上記基地局コントローラが１つの選択された顧客構内機器から否定応答メッセージを受信する毎に第１のタイムアウトを設定するステップを含み、この第１のタイムアウトの継続時間の間、上記基地局コントローラは上記選択された顧客構内機器からのその後の肯定応答メッセージ及び否定応答メッセージを廃棄し、
上記基地局コントローラが上記選択されたＣＰＥから無効なメッセージを受信する毎に第２のタイムアウトを設定するステップを含み、上記第２のタイムアウトの継続時間の間、上記基地局コントローラは上記選択された顧客構内機器から受信されるその後のすべてのメッセージを廃棄する方法。
【請求項１３】
無線通信技術を用いて情報を送信しかつ受信する送受信機と、
上記送受信機を制御する複数の命令を実行するプロセッサと、
上記複数の命令を含む情報を記憶するメモリとを備えた基地局コントローラであって、
上記複数の命令は、当該基地局コントローラと複数の顧客構内機器との間のポイント・ツー・マルチポイント無線通信リンクにおける自動的な再送信のための複数のパラメータの選択を制御する複数の命令を含み、上記通信リンクはアップストリーム部分とダウンストリーム部分とを有し、
上記複数の命令は、
（ａ）上記無線通信リンクを用いた自動的な再送信のための複数のパラメータを選択するステップを含み、上記複数のパラメータは、上記ダウンストリーム部分と上記アップストリーム部分とに対して独立に選択され、かつ少なくとも２つの異なる顧客構内機器のそれぞれに対して独立に選択され、
（ｂ）制御情報をダウンストリームに送信するためのフレームの制御セクションに、上記複数のパラメータを含むステップを含む基地局コントローラ。
【請求項１４】
上記アップストリーム部分はデータを上記顧客構内機器から上記基地局コントローラへ伝送するためのものであり、上記ダウンストリーム部分はデータを上記基地局コントローラから上記顧客構内機器へ伝送するためのものである請求項１３記載の基地局コントローラ。
【請求項１５】
上記自動的な再送信のための複数のパラメータは、上記基地局と上記顧客構内機器との間の先行する通信に基づいて動的に選択される請求項１４記載の基地局コントローラ。
【請求項１６】
上記複数の命令は、上記基地局コントローラから上記顧客構内機器へ上記フレームの制御セクションをダウンストリームに送信するステップをさらに含み、これにより上記基地局コントローラはアップストリーム及びダウンストリームの両方の再送信のための複数のパラメータを制御する請求項１４記載の基地局コントローラ。
【請求項１７】
上記複数の命令は、自動的な再送信のための新たに選択される複数のパラメータを動的かつ適応的に決定するステップをさらに含み、上記基地局コントローラは、上記新たに選択される複数のパラメータを、各独立したＣＰＥとの無線通信リンクの状態に応じて決定する請求項１４記載の基地局コントローラ。
【請求項１８】
上記自動的な再送信のための複数のパラメータは、送信機から受信機へ首尾よく送信されたバイト数に応じて選択される請求項１７記載の基地局コントローラ。
【請求項１９】
上記複数の命令は、上記顧客構内機器による使用のために、上記アップストリーム部分及び上記ダウンストリーム部分の複数のフレーム内に複数の肯定応答時間スロットを動的かつ適応的に割り当てるステップをさらに含む請求項１３記載の基地局コントローラ。
【請求項２０】
無線通信技術を用いて情報を送信しかつ受信する送受信機と、
上記送受信機を制御する複数の命令を実行するプロセッサと、
上記複数の命令を含む情報を記憶するメモリとを備えた基地局コントローラであって、
上記複数の命令は、アップストリーム部分とダウンストリーム部分とを有するポイント・ツー・マルチポイント無線通信リンクにおけるアップストリーム再送信を制御する複数の命令を含み、
上記複数の命令は、
（ａ）自動的な再送信に関連付けられた複数のメッセージを送信するために上記アップストリーム部分に割り当てられる帯域幅の量を決定するステップを含み、上記帯域幅の量は上記ダウンストリーム部分の送信機によって決定されかつ上記ダウンストリーム部分に含まれ、
（ｂ）上記顧客構内機器による使用のために、上記アップストリーム部分及び上記ダウンストリーム部分の複数のフレーム内に複数の肯定応答時間スロットを動的かつ適応的に割り当てるステップを含む基地局コントローラ。
【請求項２１】
上記アップストリーム部分はデータを顧客構内機器から当該基地局コントローラへ伝送するためのものであり、かつ上記ダウンストリーム部分はデータを当該基地局コントローラから上記顧客構内機器へ伝送するためのものであって、これにより、当該基地局コントローラは、自動的な再送信に関連付けられた複数のメッセージを送信するために上記アップストリーム部分に割り当てられる上記帯域幅の量を決定する上記ダウンストリーム部分の送信機である請求項２０記載の基地局コントローラ。
【請求項２２】
上記複数のメッセージは肯定応答メッセージ及び否定応答メッセージである請求項２１記載の基地局コントローラ。
【請求項２３】
上記複数の命令は、上記アップストリーム部分のいくらかの部分を共有されたリソースとして割り当て、かつ上記アップストリーム部分のいくらかの部分を共有されないものとして割り当てるステップをさらに含み、上記割り当ては当該基地局コントローラによって実行される請求項２１記載の基地局コントローラ。
【請求項２４】
無線通信技術を用いて情報を送信しかつ受信する送受信機と、
上記送受信機を制御する複数の命令を実行するプロセッサと、
上記複数の命令を含む情報を記憶するメモリとを備えた基地局コントローラであって、
上記複数の命令は、当該基地局コントローラと複数の顧客構内機器との間のポイント・ツー・マルチポイント無線通信リンクにおける肯定応答メッセージ及び否定応答メッセージに動的かつ適応的に応答する複数の命令を含み、上記通信リンクは、データを上記顧客構内機器から当該基地局コントローラへ伝送するアップストリーム部分と、データを当該基地局コントローラから上記顧客構内機器へ伝送するダウンストリーム部分とを有し、
上記複数の命令は、
（ａ）当該基地局コントローラが１つの選択された顧客構内機器から否定応答メッセージを受信する毎に第１のタイムアウトを設定するステップを含み、この第１のタイムアウトの継続時間の間、当該基地局コントローラは上記選択された顧客構内機器からのその後の肯定応答メッセージ及び否定応答メッセージを廃棄し、
（ｂ）当該基地局コントローラが上記選択されたＣＰＥから無効なメッセージを受信する毎に第２のタイムアウトを設定するステップを含み、上記第２のタイムアウトの継続時間の間、当該基地局コントローラは上記選択された顧客構内機器から受信されるその後のすべてのメッセージを廃棄する基地局コントローラ。
【請求項２５】
基地局コントローラ用のプロセッサによって実行されるとき、上記基地局コントローラに請求項１乃至１２の内の任意の１つにおけるステップを遂行させるプログラムコード手段を備えたコンピュータプログラム。
【手続補正２】
【補正対象書類名】明細書
【補正対象項目名】００４４
【補正方法】変更
【補正の内容】
【００４４】
フローポイント３１０において、ＢＳＣ１２０及びＣＰＥ１３０は、ＴＤＤフレームを開始するための準備ができている。


【手続補正３】
【補正対象書類名】明細書
【補正対象項目名】００４５
【補正方法】変更
【補正の内容】
【００４５】
ステップ３１１で、ＢＳＣ１２０及びＣＰＥ１３０はＴＤＤフレームを使用して通信を実行する。このステップの一部として、ＢＳＣ１２０は、ＣＰＥ１３０へ、どの物理パラメータ及びＭＡＣパラメータを使用するかについて指示する。


【手続補正４】
【補正対象書類名】明細書
【補正対象項目名】００４６
【補正方法】変更
【補正の内容】
【００４６】
ステップ３１２で、ＢＳＣ１２０は、先行するＴＤＤフレームの間での通信の性能に応答して、ＣＰＥ１３０との通信リンクの特性を決定する。